(57)【特許請求の範囲】
【請求項１】
外部の制御機器と近距離無線通信を行い、前記制御機器により故障が判断される端末機器であって、
電力を供給する第１電源部と、
前記制御機器との間で近距離無線の電波を送受信するアンテナ部と、
前記アンテナ部で受信される電波により電力を誘起し、前記誘起した電力を供給する第２電源部と、
前記第２電源部から電力が供給されて駆動する記憶部と、
前記第１電源部から電力が供給されて駆動する制御部であって、当該制御部が起動状態又は停止状態であるかを示す第１情報を前記記憶部に格納する制御部と、
前記第２電源部から電力が供給されて駆動し、前記第１電源部の電力供給の有無を示す第２情報を取得し、且つ前記記憶部から前記第１情報を取得し、取得した前記第１、第２情報を前記アンテナ部を介して前記制御機器へ送信する情報取得部とを備える端末機器。
【請求項２】
前記制御部を起動させる起動信号を生成し、前記制御部に通知する起動信号生成部を更に備え、
前記起動信号生成部は、前記制御機器から前記制御部が故障している可能性がある場合に送信される指示信号に基づき、前記起動信号を生成し、
前記情報取得部は、前記起動信号生成部による前記起動信号の通知がなされた後、再度、前記第１、第２情報を取得し、前記制御機器へ送信する請求項１記載の端末機器。
【請求項３】
前記制御部を起動させる起動信号を生成し、前記制御部に通知する起動信号生成部を更に備え、
前記起動信号生成部は、前記第２情報が電力供給有を示す場合、前記起動信号を生成し、
前記情報取得部は、前記起動信号生成部による前記起動信号の通知がなされた後、前記第１、第２情報を取得し、前記制御機器へ送信する請求項１記載の端末機器。
【請求項４】
前記第１電源部による電力供給が停止された場合、前記制御部に電力を供給し、前記制御部に前記記憶部に格納された前記第１情報を更新させる補助電源部を更に備える請求項１〜３のいずれかに記載の端末機器。
【請求項５】
前記第１電源部及び前記制御部間を導通又は遮断させるスイッチと、
前記第２電源部から電力が供給されて駆動し、前記スイッチのオン又はオフを示す第３情報を取得し、前記アンテナ部を介して前記制御機器へ送信するスイッチ情報取得部とを更に備える請求項１〜４のいずれかに記載の端末機器。
【請求項６】
電力を供給する第１電源部と、前記第１電源部から電力が供給されて駆動する制御部と備える外部の端末機器との間で近距離無線通信を行い、前記端末機器の故障を判断する制御機器であって、
前記端末機器との間で近距離無線の電波を送受信するアンテナ部と、
前記端末機器が備える前記制御部が起動状態又は停止状態にあるかを示す第１情報と、前記端末機器が備える前記第１電源部の電力供給の有無を示す第２情報とを、前記アンテナ部を介して前記端末機器から受信し、受信した前記第１、第２情報に基づいて前記端末機器の故障を判断する判断部とを備える制御機器。
【請求項７】
前記判断部は、前記第２情報が電力供給無、且つ前記第１情報が起動状態を示す場合、又は前記第２情報が電力供給有、且つ前記第１情報が停止状態を示す場合、前記制御部を故障と判断し、前記第２情報が電力供給有、且つ前記第１情報が起動状態を示す場合、又は前記第２情報が電力供給無、且つ前記第１情報が停止状態を示す場合、前記制御部を正常と判断する請求項６記載の制御機器。
【請求項８】
前記制御部が故障している可能性がある場合に前記制御部を起動させるための指示信号を前記アンテナ部を介して前記端末機器に送信する指示信号送信部を更に備える請求項６又は７記載の制御機器。
【請求項９】
前記指示信号送信部は、前記第２情報が電力供給有、且つ前記第１情報が停止状態を示す場合、前記指示信号を送信する請求項８記載の制御機器。
【請求項１０】
前記判断部は、前記端末機器の前記第１電源部及び前記制御部を導通又は遮断させるスイッチがオン又はオフしているかを示す第３情報を前記端末機器から取得し、前記第１、第２情報に加えて、更に前記第３情報に基づいて前記端末機器の故障を判断する請求項６〜９のいずれかに記載の制御機器。
【請求項１１】
外部の制御機器との間で近距離無線通信を行い、前記制御機器により故障が判断される端末機器であって、
電力を供給する第１電源部と、
前記制御機器との間で近距離無線の電波を送受信するアンテナ部と、
前記アンテナ部で受信される電波により電力を誘起し、前記誘起した電力を供給する第２電源部と、
前記第２電源部から電力が供給されて駆動する記憶部と、
前記第１電源部から電力が供給されて駆動する制御部であって、当該制御部が起動状態又は停止状態であるかを示す第１情報を前記記憶部に格納する制御部と、
前記第２電源部から電力が供給されて駆動し、前記第１電源部の電力供給の有無を示す第２情報を取得し、且つ前記第１情報を取得する情報取得部と、
前記第２電源部から電力が供給されて駆動し、前記情報取得部により取得された前記第１、第２情報に基づいて、前記端末機器の故障を判断し、判断結果を前記アンテナ部を介して前記制御機器へ送信する判断部とを備える端末機器。
【請求項１２】
前記制御部を起動させる起動信号を生成し、前記制御部に通知する起動信号生成部を更に備え、
前記起動信号生成部は、前記第２情報が電力供給有を示す場合、前記起動信号を生成し、
前記情報取得部は、前記起動信号生成部による前記起動信号の通知がなされた後、前記第１、第２情報を取得し、前記制御機器へ送信する請求項１１記載の端末機器。
【請求項１３】
前記制御部を起動させる起動信号を生成し、前記制御部に通知する起動信号生成部を更に備え、
前記起動信号生成部は、前記第２情報が電力供給有、且つ前記第１情報が停止状態を示す場合、前記起動信号を生成し、
前記情報取得部は、前記起動信号生成部による前記起動信号の通知がなされた後、前記第１、第２情報を取得し、前記制御機器へ送信する請求項１１記載の端末機器。
【請求項１４】
前記判断部は、前記第２情報が電力供給無、且つ前記第１情報が起動状態を示す場合、又は前記第２情報が電力供給有、且つ前記第１情報が停止状態を示す場合、前記制御部を故障と判断し、前記第２情報が電力供給有、且つ前記第１情報が起動状態を示す場合、又は前記第２情報が電力供給無、且つ前記第１情報が停止状態を示す場合、前記制御部を正常と判断する請求項１１〜１３のいずれかに記載の端末機器。
【請求項１５】
前記第１電源部による電力供給が停止された場合、前記制御部に電力を供給し、前記制御部に前記記憶部に格納された前記第１情報を更新させる補助電源部を更に備える請求項１１〜１４のいずれかに記載の端末機器。
【請求項１６】
制御機器と端末機器とが近距離無線通信を行い、前記制御機器が前記端末機器の故障を判断する故障判断システムであって、
前記端末機器は、
電力を供給する第１電源部と、
前記制御機器との間で近距離無線の電波を送受信するアンテナ部と、
前記アンテナ部で受信される電波により電力を誘起し、前記誘起した電力を供給する第２電源部と、
前記第２電源部から電力が供給されて駆動する記憶部と、
前記第１電源部から電力が供給されて駆動する制御部であって、当該制御部が起動状態又は停止状態であるかを示す第１情報を前記記憶部に格納する制御部と、
前記第２電源部から電力が供給されて駆動し、前記第１電源部の電力供給の有無を示す第２情報を取得し、且つ前記記憶部から前記第１情報を取得し、取得した前記第１、第２情報を前記アンテナ部を介して前記制御機器へ送信する情報取得とを備え、
前記制御機器は、
前記端末機器との間で近距離無線の電波を送受信するアンテナ部と、
前記第１、第２情報を、前記アンテナ部を介して前記端末機器から受信し、受信した前記第１、第２情報に基づいて前記端末機器の故障を判断する判断部とを備える故障判断システム。
【請求項１７】
制御機器と端末機器とが近距離無線通信を行い、前記制御機器が前記端末機器の故障を判断する故障判断方法であって、
前記端末機器は、電力を供給する第１電源部と、前記制御機器との間で近距離無線の電波を送受信するアンテナ部と、前記アンテナ部で受信される電波により電力を誘起し、前記誘起した電力を供給する第２電源部と、前記第１電源部から電力が供給されて駆動する制御部であって、前記制御部が起動状態又は停止状態であるかを示す第１情報を記憶部に格納する制御部と、前記第２電源部から電力が供給されて駆動する情報取得部とを備え、
前記制御機器は、前記端末機器との間で近距離無線の電波を送受信するアンテナ部と、前記端末機器の故障を判断する判断部とを備え、
前記端末機器の前記第２電源部が、前記制御機器からの電波を前記アンテナ部を介して受信し、前記情報取得部及び前記記憶部を駆動させるステップと、
前記端末機器の前記情報取得部が、前記第２電源部から電力が供給されて駆動した際、前記第１電源部の電力供給の有無を示す第２情報を取得し、且つ前記記憶部から前記第１情報を取得し、取得した前記第１、第２情報を前記アンテナ部を介して前記制御機器へ送信するステップと、
前記制御機器の前記判断部が、前記情報取得部から送信された前記第１、第２情報を、前記アンテナ部を介して受信し、受信した前記第１、第２情報に基づいて前記端末機器の故障を判断するステップとを備える故障判断方法。
【発明の詳細な説明】
【技術分野】
【０００１】
本発明は、端末機器と制御機器とが近距離無線通信を行って端末機器の故障を判断する技術に関するものである。
【背景技術】
【０００２】
近年、洗濯機、冷蔵庫、エアコンといった家電機器には故障判断機能が搭載され、ユーザはこの故障判断機能を利用することで修理への対応をスムーズに行うことができる。具体的には、家電機器に故障が発生した場合、家電機器の表示パネルにエラーコードが表示され、ユーザはインターネット上の故障判断サイトにアクセスし、このエラーコードを入力すると、出張修理の必要性の有無が判断され、出張修理が必要な場合はサービスマンの手配が行われ、出張修理が不要と判断された場合は、家電機器への措置がユーザに通知される。これにより、サービスマンの不要な出張が防止され、迅速、且つ低コストの修理サービスを実現することができる。【０００３】
また、特許文献１には、計算機システムを構成する装置（ＣＰＵ、ＣＨ、ＭＳＵ、ＭＣＵ、ＳＶＰ）から異常通知が通知されると、解析プログラムは装置からハードウェア情報と電源情報とを読み込み、電源情報が電源異常を示す場合は、電源異常を示すコードを作成する。一方、電源情報が電源異常を示さない場合は、解析プログラムはハードウェア情報から特定される装置の異常を示すコードを生成する技術が開示されている。【０００４】
また、特許文献２には、少なくとも１回の読み出し又は書き込みのアクセス制御を完了させるための電源電圧をキャパシタに保持させておき、検出回路により電源異常が検出された場合、キャパシタに保持された電圧を用いて記憶部への読み出し又は書き込みのアクセス制御を完了させることが開示されている。【０００５】
ところで、近年のスマートフォンやタブレット端末といった高機能の携帯機器と、家電機器とを連携させ、修理対応の効率化を図る試みもなされている。具体的には、携帯機器が家電機器にかざされると、携帯機器と家電機器とが近距離無線通信を行い、携帯機器の表示パネルに家電機器の判断結果を表示させるという手法である。【０００６】
しかしながら、特許文献１の技術では、ハードウェア情報と電源情報とがそれぞれ個別に用いられて故障が判断されており、両情報を組み合わせて故障の判断が行われていない。そのため、特許文献１の技術を携帯機器と家電機器とを連携させて家電機器の故障を判断する手法に適用したとしても、家電機器のマイコンが故障しているのか家電機器のコンセントが抜けているのかを検出することができない。【０００７】
また、特許文献２の技術は、不揮発性メモリへのアクセス中に電源が遮断された場合のデータの破損を防止することを目的とする技術であり、故障を判断するものではない。
【先行技術文献】
【特許文献】
【０００８】
【特許文献１】特開平２−１２４５号公報
【特許文献２】特開２０１１−８１６６０号公報
【発明の概要】
【０００９】
本発明の目的は、制御機器と端末機器とを連携させて端末機器の故障を判断するに際して、端末機器の故障を正確に判断することができる技術を提供することである。
【００１０】
本発明の一態様による端末機器は、外部の制御機器と近距離無線通信を行い、前記制御機器により故障が判断される端末機器であって、電力を供給する第１電源部と、前記制御機器との間で近距離無線の電波を送受信するアンテナ部と、前記アンテナ部で受信される電波により電力を誘起し、前記誘起した電力を供給する第２電源部と、前記第２電源部から電力が供給されて駆動する記憶部と、前記第１電源部から電力が供給されて駆動する制御部であって、当該制御部が起動状態又は停止状態であるかを示す第１情報を前記記憶部に格納する制御部と、前記第２電源部から電力が供給されて駆動し、前記第１電源部の電力供給の有無を示す第２情報を取得し、且つ前記記憶部から前記第１情報を取得し、取得した前記第１、第２情報を前記アンテナ部を介して前記制御機器へ送信する情報取得部とを備える。
【図面の簡単な説明】
【００１１】
【図１】本発明の実施の形態１における故障判断システムの全体構成図である。
【図２】本発明の実施の形態１による故障判断システムのブロック図である。
【図３】判断部が故障を判断する際に使用する故障判断テーブルの一例を示す図である。
【図４】本発明の実施の形態２による故障判断システムのブロック図である。
【図５】本発明の実施の形態３による故障判断システムのブロック図である。
【図６】本発明の実施の形態４による故障判断システムのブロック図である。
【図７】本発明の実施の形態５による故障判断システムのブロック図である。
【図８】本発明の実施の形態６による故障判断システムのブロック図である。
【図９】本発明の実施の形態７による故障判断システムのブロック図である。
【図１０】本発明の実施の形態８による故障判断システムのブロック図である。
【図１１】本発明の実施の形態９における故障判断システムのブロック図である。
【図１２】情報取得部が第２情報を取得するために備える第２情報取得回路の回路図の一例である。
【図１３】本発明の実施の形態１０による故障判断システムのブロック図である。
【図１４】スイッチ情報取得部が第３情報を取得するために備える第３情報取得回路の回路図の一例である。
【図１５】本発明の実施の形態１０における故障判断テーブルの一例を示した図である。
【発明を実施するための形態】
【００１２】
（実施の形態１）
以下、本発明の実施の形態による故障判断システムについて図面を用いて説明する。図１は、本発明の実施の形態１における故障判断システムの全体構成図である。故障判断システムは、端末機器１００及び制御機器２００を備えている。端末機器１００及び制御機器２００は、共に近距離無線通信の機能を備えている。この故障判断システムでは、筐体の所定の位置に制御機器２００がかざされると、制御機器２００との間で近距離無線通信が行われ、端末機器１００の故障の有無が判断され、判断結果が制御機器２００の表示パネルに表示される。
【００１３】
ここで、端末機器１００としては、図１の例では洗濯機が採用されているが、本発明はこれに限定されず、近距離無線通信を行う機能を備える電気機器ならどのような機器を採用してもよい。例えば、冷蔵庫、エアコン、オーブン、電子レンジ、掃除機、炊飯器、パン焼き器等の家電機器を端末機器１００として採用してもよいし、テレビ、ブルーレイレコーダ、オーディオ等のＡＶ機器を端末機器１００として採用してもよい。
【００１４】
制御機器２００としては、近距離無線通信の機能及び表示パネルを備える機器であればどのような機器を採用してもよく、例えばスマートフォン、タブレット端末、携帯電話、ＰＤＡ（Personal Data Assistance）等の端末機器を採用すればよい。
【００１５】
近年、スマートフォンやタブレット端末等の登場によって携帯機器は高機能化が進んでおり、このような携帯機器は、近距離無線通信の機能を備えていることが一般的である。ここで、近距離無線通信は、ＮＦＣ(Near Field Communication)として知られる無線通信の国際規格であり、十数センチメートルの距離で行われる小電力な無線通信技術である。
【００１６】
そこで、本実施の形態では、近距離無線通信の機能を備える携帯機器を制御機器２００として採用し、制御機器２００と端末機器１００とを連携させ、端末機器１００の故障の判断結果を制御機器２００の表示パネルに表示させ、端末機器１００の故障の判断を円滑に行うことを目的としている。
【００１７】
次に、従来の端末機器が備えていた故障判断機能の問題点について説明する。表１は、従来の端末機器が備えていた故障判断機能の問題点をまとめた表であり、端末機器１００の状態に応じて端末機器１００の表示パネルに表示される表示画面が示されている。
【００１８】
【表１】
0005988452.tif 000002
【００１９】
表１のコンセントの欄において、“入”は端末機器１００のコンセントが入っている状態を示し、“抜け”は端末機器１００のコンセント抜けている状態を示し、“不明”は端末機器１００のコンセントが抜けているか入っているか分からない状態を示している。
【００２０】
“マイコン／その他の部品の異常”の欄において、“なし／なし”はマイコン及びその他の部品に異常がないことを示し、“なし／あり”はマイコンに異常はないがその他の部品に異常があることを示し、“なし／なし”はマイコン及びその他の部品に異常があることを示し、“あり／不明”はマイコンに異常がありその他の部品に異常があるか否かが分からないことを示している。表示画面の欄には制御機器２００の表示画面に表示される文言等が示されている。
【００２１】
表１に示すように、コンセントが“入”、“マイコン／その他の部品の異常”が“なし／なし”の場合、端末機器１００は故障していないため、表示画面には端末機器１００の通常の操作画面が表示される。
【００２２】
コンセントが“入”、“マイコン／その他の部品の異常”が“なし／あり”の場合、マイコンは異常部品を検出することができるため、表示画面には異常の原因を示すエラーコードと異常部品とが表示される。
【００２３】
コンセントが“抜け”、“マイコン／その他の部品の異常”が“なし／なし”の場合、マイコンはコンセント抜けを検出することができるため、表示画面には“コンセントが抜けていませんか？”と表示される。
【００２４】
コンセントが“不明”、“マイコン／その他の部品の異常”が“あり／不明”の場合、表示画面には“故障の可能性があります。お近くの販売店にお問い合わせ下さい。”と表示される。
【００２５】
１行目〜３行目までに記載された３つのパターンの場合、つまり、マイコンに異常がなければ、従来の故障判断機能でも端末機器１００の異常の原因を正確に検出することができ、問題はなかった。
【００２６】
しかしながら、４行目に記載されたパターンのようにマイコンに異常がある場合、従来の故障判断機能では、コンセントが抜けているか否か検出することができず、故障の原因を正確に検出することができなかった。
【００２７】
そこで、本実施の形態による故障判断システムは、４行目に記載されたパターンのようにマイコン側に異常がある場合であっても、故障の原因を正確に検出することを課題としている。以下、故障判断システムについて詳細に説明する。
【００２８】
図２は、本発明の実施の形態１による故障判断システムのブロック図である。端末機器１００は、制御部１２０、第１電源部１１０、及び通信部１３０を備えている。
【００２９】
第１電源部１１０は、制御部１２０に電力を供給する。本実施の形態では、第１電源部１１０としては、例えば、電力会社や家庭用発電機からコンセントを介して供給される電力を、端末機器１００を駆動させるのに適した電力に変換する電源回路が採用される。なお、これは一例であり、端末機器１００が蓄電池を実装する機器である場合、第１電源部１１０として、蓄電池を採用すればよい。蓄電池としては、リチウムイオン電池や電気二重層コンデンサやニッケルカドミウム電池やニッケル水素電池を採用すればよい。
【００３０】
制御部１２０は、例えば、端末機器１００の全体を統括制御するマイコン（マイクロコントローラ）により構成され、第１電源部１１０から電力が供給されて駆動し、状態更新部１２１を含む。状態更新部１２１は、制御部１２０の状態を監視する。本実施の形態では、制御部１２０の状態としては、起動状態及び停止状態がある。
【００３１】
状態更新部１２１は、制御部１２０の状態が停止状態から起動状態に遷移する場合、記憶部１３２に格納された第１情報を起動状態に更新する。また、状態更新部１２１は、制御部１２０の状態が起動状態から停止状態に遷移する場合、記憶部１３２に格納された第１情報を停止状態に更新する。
【００３２】
ここで、制御部１２０の状態が停止状態から起動状態に遷移する場合としては、例えば、ユーザにより端末機器１００のスイッチがオンされ、第１電源部１１０から制御部１２０への電力の供給が開始される場合が該当する。また、制御部１２０の状態が起動状態から停止状態に遷移する場合としては、例えば、ユーザにより端末機器１００のスイッチがオフされた場合や、洗濯機であれば衣類の洗濯が終了した場合が該当する。
【００３３】
通信部１３０は、近距離無線通信を行う通信装置により構成され、第２電源部１３１、記憶部１３２、情報取得部１３３、及びアンテナ部１３４を備えている。第２電源部１３１は、アンテナ部１３４により受信される電波により電力を誘起し、誘起した電力を通信部１３０を構成する他のブロックに供給する。本実施の形態では、制御機器２００から定期的にポーリング信号が送信されており、第２電源部１３１は、このポーリング信号を受信することで電力を誘起する。
【００３４】
記憶部１３２は、例えば、第２電源部１３１から電力が供給されて駆動する不揮発性のメモリにより構成され、第１情報を記憶する。
【００３５】
情報取得部１３３は、第２電源部１３１から電力が供給されて駆動し、第１電源部１１０の電力供給の有無を示す第２情報を取得し、且つ記憶部１３２から第１情報を取得し、取得した第１、第２情報をアンテナ部１３４を介して制御機器２００に送信する。
【００３６】
ここで、情報取得部１３３は、第２電源部１３１から電力の供給が開始されたときに第１、第２情報を取得して制御機器２００に送信する。
【００３７】
図１２は、情報取得部１３３が第２情報を取得するために備える第２情報取得回路の回路図の一例である。図１２に示すように、第２情報取得回路は、３つの抵抗Ｒ１１〜Ｒ１３及びトランジスタＱ１を備えている。トランジスタＱ１は例えばｎチャネルのＭＯＳＦＥＴにより構成されている。トランジスタＱ１のゲートは抵抗Ｒ１２を介して第１電源部１１０に接続され、且つ抵抗Ｒ１３を介してグランドに接続されている。トランジスタＱ１のドレインは抵抗Ｒ１１を介して第２電源部１３１に接続されている。トランジスタＱ１のソースはグランドに接続されている。
【００３８】
第１電源部１１０が電力を供給している場合、トランジスタＱ１のゲートにはハイレベルの電圧が印加され、トランジスタＱ１がオンする。これにより、第２電源部１３１から電力が供給されると、トランジスタＱ１のソースドレイン間に電流が流れ、抵抗Ｒ１１の電圧降下により出力線からはローレベルの電圧が出力される。この場合、情報取得部１３３は、第１電源部１１０は電力供給有の状態と判断し、電力供給有を示す第２情報を生成する。
【００３９】
一方、第１電源部１１０が電力を供給していない場合、トランジスタＱ１のゲートにはローレベルの電圧が印加され、トランジスタＱ１がオフする。これにより、第２電源部１３１から電力が供給されても、トランジスタＱ１のソースドレイン間には電流が流れず、出力線からはハイレベルの電圧が出力される。この場合、情報取得部１３３は、第１電源部１１０は電力供給無の状態であると判断し、電力供給無を示す第２情報を生成する。
【００４０】
このように、情報取得部１３３は、第１電源部１１０から出力される電圧が規定値以上であれば第１電源部１１０が電力供給有と判断し、そのことを示す第２情報を生成する一方、電圧が規定値未満であれば第１電源部１１０が電力供給無と判断し、そのことを示す第２情報を生成する。なお、第２情報取得回路は第１電源部１１０に設けてもよい。
【００４１】
図２に戻り、制御機器２００は、起動部２０１、判断部２０２、制御部２０３、及びアンテナ部２０４を備えている。起動部２０１は、例えば、近距離無線通信の通信回路により構成され、端末機器１００に対してポーリング信号を定期的に送信する。ここで、ポーリング信号の送信間隔としては、例えば、ユーザが制御機器２００を端末機器１００にかざしている想定時間よりも短い時間が採用される。これにより、制御機器２００はユーザにより端末機器１００にかざされている間、少なくとも１回、端末機器１００にポーリング信号を送信でき、近距離無線通信を行うことができる。
【００４２】
判断部２０２は、端末機器１００の情報取得部１３３から送信された第１、第２情報を受信した場合、受信した第１、第２情報に基づいて端末機器１００の故障を判断する。
【００４３】
図３は、判断部２０２が故障を判断する際に使用する故障判断テーブル３００の一例を示す図である。故障判断テーブル３００は、第１情報の欄と第２情報の欄とを備え、各セルには、第１情報が起動状態又は停止状態を示す場合と、第２情報が電力供給有又は電力供給無を示す場合との組み合わせからなる４通り（ケース（ａ）〜（ｄ））の判断結果が格納されている。
【００４４】
したがって、判断部２０２は、第２情報が電力供給無、且つ第１情報が起動状態を示す場合（ケース（ｄ））、又は第２情報が電力供給有、且つ第１情報が停止状態を示す場合（ケース（ｃ））、制御部１２０が故障していると判断する。また、判断部２０２は、第２情報が電力供給有、且つ第１情報が起動状態を示す場合（ケース（ａ））、又は第２情報が電力供給無、且つ第１情報が停止状態を示す場合（ケース（ｂ））、制御部１２０を正常と判断する。
【００４５】
ケース（ａ）の場合、第１電源部１１０からの電力供給に応じて制御部１２０が起動状態になっているため、制御部１２０は正常に起動している。この場合、判断部２０２は、制御部１２０は正常（起動）の判断結果を出す。
【００４６】
ケース（ｂ）の場合、第１電源部１１０からの電力供給の遮断に応じて制御部１２０が停止状態になっているため、制御部１２０は正常に停止している。この場合、判断部２０２は、制御部１２０は正常（停止）の判断結果を出す。
【００４７】
ケース（ｃ）の場合、第１電源部１１０から電力供給がされているにも拘わらず、制御部１２０が停止状態となっているため、制御部１２０は故障している。この場合、判断部２０２は、制御部１２０は故障、且つコンセントが入っているとの判断結果を出す。
【００４８】
ケース（ｄ）の場合、第１電源部１１０から電力供給がされていないにも拘わらず、制御部１２０の状態が起動状態となっているため、制御部１２０は故障している。この場合、判断部２０２は、制御部１２０は故障、且つコンセントが抜けているとの判断結果を出す。
【００４９】
制御部２０３は、判断部２０２による判断結果を例えば表示パネルに表示し、端末機器１００の判断結果をユーザに報知する。具体的には、制御部２０３は、判断部２０２がケース（ａ）の判断結果を出した場合、例えば“正常です。”といった文言が記載された表示画面を表示パネルに表示する。また、制御部２０３は、判断部２０２がケース（ｂ）の判断結果を出した場合、例えば“電源が入っていません。”や“コンセントが抜けています”といった文言が記載された表示画面を表示パネルに表示する。また、制御部２０３は、判断部２０２がケース（ｃ）の判断結果を出した場合、例えば“マイコンが故障しています。”といった文言が記載された表示画面を表示パネルに表示する。また、制御部２０３は、判断部２０２がケース（ｄ）の判断結果を出した場合、例えば“マイコンが故障しています。電源が入っていません。”や“マイコンが故障しています。コンセントが抜けています。”といった文言が記載された表示画面を表示パネルに表示する。
【００５０】
次に、図２に示す故障判断システムの動作について説明する。まず、第２電源部１３１は、起動部２０１から送信されるポーリング信号を受信すると、電力を誘起する。次に、情報取得部１３３は、第２電源部１３１から電力が供給されて駆動され、第１電源部１１０の電力供給の有無を示す第２情報を取得し、且つ記憶部１３２から第１情報を取得する。
【００５１】
次に、情報取得部１３３は、取得した第１、第２情報をアンテナ部１３４を介して制御機器２００に送信する。次に、判断部２０２はアンテナ部２０４を介して第１、第２情報を受信し、受信した第１、第２情報と故障判断テーブル３００とを用いて端末機器１００の判断結果を出す。次に、制御部２０３は、判断部２０２による判断結果を表示パネルに表示してユーザに報知する。
【００５２】
このように、本実施の形態による故障判断システムによれば、端末機器１００は、制御部１２０の状態を示す第１情報を記憶する記憶部１３２と、制御機器２００からポーリング信号によって電力を誘起する第２電源部１３１と、第２電源部１３１から電力が供給されて駆動し、第１、第２情報を取得して、制御機器２００に送信する情報取得部１３３とを備えている。
【００５３】
そのため、端末機器１００は第１電源部１１０からの電力供給の有無に拘わらず、制御機器２００がかざされると、近距離無線通信により第１、第２情報を制御機器２００に送信することができる。
【００５４】
その結果、制御機器２００は、端末機器１００のオン又はオフに拘わらず、端末機器１００から第１、第２情報を取得することができる。そして、第１情報は制御部１２０の現在の状態を示し、第２情報が第１電源部１１０の電力供給の有無を示している。そのため、制御機器２００は、これらの情報の組み合わせから、制御部１２０が故障している場合であっても、第１電源部１１０からの電力供給の有無を判断することができ、端末機器１００のコンセント抜けを判断することができ、端末機器１００の故障の原因を正確に検出することができる。
【００５５】
（実施の形態２）
実施の形態２の故障判断システムは、制御機器２００の判断部２０２がケース（ｃ）の判断結果を出した場合、制御部１２０の起動を試み、制御部１２０が本当に故障しているのか、あるいはスリープ状態になっていただけなのかを切り分けることを特徴とする。図４は、本発明の実施の形態２による故障判断システムのブロック図である。なお、本実施の形態において実施の形態１と同一のものは説明を省略する。
【００５６】
実施の形態１では、制御部１２０の状態として起動状態と停止状態との２つの状態があるものとして説明した。しかしながら、マイコンにはこれら２つの状態以外にもスリープ状態が設けられていることもある。スリープ状態は、電源供給はされているがマイコンが動作を行わないモードであり、例えばユーザからの指示に応じて起動状態に復帰するモードである。
【００５７】
制御部１２０の状態がスリープ状態の場合、状態更新部１２１が第１情報を停止状態に更新する構成を採用すると、ケース（ｃ）において、制御部１２０が故障しているために第１情報が停止状態を示しているのか、制御部１２０がスリープ状態にあるために第１情報が停止状態を示しているのかを区別できず、制御部１２０が故障していないにも拘わらず故障していると判断されるおそれがある。つまり、制御部１２０がスリープ状態にあり、且つ第１電源部１１０が電力供給を行っている場合、第１情報は停止状態、第２情報は電力供給有を示すため、故障判断テーブル３００のケース（ｃ）に該当すると判断され、制御部１２０はスリープ状態にあるにも拘わらず、故障していると判断されてしまう。
【００５８】
そこで、実施の形態２では、ケース（ｃ）の判断結果が得られた場合、制御部１２０が本当に故障しているのか、単にスリープ状態になっているだけなのかを切り分けるために、制御部１２０の起動を試みる。そして、第１情報が起動状態に遷移すれば、ケース（ａ）の判断結果が得られるため、制御部１２０は正常と判断される。一方、第１情報が起動状態に遷移せず、停止状態を維持していれば、再度、ケース（ｃ）の判断結果が得られるため、制御部１２０は故障していると判断される。
【００５９】
実施の形態２の故障判断システムは、制御機器２００に起動信号生成部１３５が設けられ、制御機器２００に指示信号送信部２０５が設けられている。
【００６０】
指示信号送信部２０５は、判断部２０２が第１、第２情報に基づき、故障の判断を行った結果、ケース（ｃ）の判断結果が得られた場合、制御部１２０を故障の可能性があるとして、制御部１２０を起動状態にするための指示信号をアンテナ部２０４を介して端末機器１００に送信する。
【００６１】
起動信号生成部１３５は、指示信号を受信すると制御部１２０を起動状態にするための起動信号を生成し、制御部１２０に通知する。ここで、起動信号生成部１３５は、指示信号によって誘起された第２電源部１３１から電力が供給されて駆動し、起動信号を制御部１２０に通知する。
【００６２】
制御部１２０は、起動信号が通知されると、スリープ状態であれば起動状態に遷移する。これにより、状態更新部１２１は、記憶部１３２に記憶された第１情報を起動状態に更新する。一方、制御部１２０は、故障している場合、起動信号が通知されても起動することができないため、第１情報は停止状態を維持する。
【００６３】
状態更新部１２１は、制御部１２０が起動状態からスリープ状態に遷移した場合、第１情報を停止状態に更新する。また、状態更新部１２１は、制御部１２０がスリープ状態から起動状態に遷移した場合、第１情報を起動状態に更新する。また、状態更新部１２１は、制御部１２０がスリープ状態から停止状態、又は停止状態からスリープ状態に遷移しても第１情報を停止状態のまま維持する。
【００６４】
情報取得部１３３は、起動信号生成部１３５が起動信号を通知してから一定期間経過したときに、記憶部１３２から第１情報を取得し、且つ、第１電源部１１０の出力電圧から第２情報を取得し、アンテナ部１３４を介して制御機器２００に送信する。ここで、一定期間としては、例えば、起動信号生成部１３５が制御部１２０に起動信号を通知してから、状態更新部１２１による第１情報の更新が終了するまでの時間よりも多少長い時間が採用される。これにより、情報取得部１３３は更新終了後の第１情報を取得することができる。
【００６５】
判断部２０２は、指示信号送信部２０５の指示信号の送信に応じて、情報取得部１３３から第１、第２情報が送信された場合、第１、第２情報と故障判断テーブル３００とを用いて故障を判断する。
【００６６】
次に、実施の形態２による故障判断システムの動作について説明する。端末機器１００が起動部２０１から送信されたポーリング信号を受信し、第１、第２情報を制御機器２００に送信し、判断部２０２が第１、第２情報と故障判断テーブル３００とを用いて故障を判断するまでの動作は実施の形態１と同じである。
【００６７】
ここでは、第１情報が停止状態を示し、第２情報が電力供給有を示すため、判断部２０２がケース（ｃ）の判断結果を出したとする。すると、判断部２０２は、指示信号送信部２０５に指示信号を送信するよう指示する。次に、指示信号送信部２０５は、指示信号をアンテナ部２０４を介して端末機器１００に送信する。次に、起動信号生成部１３５は、指示信号を受信し、起動信号を制御部１２０に通知する。次に、制御部１２０は、故障していない場合は起動信号によって起動され、故障している場合は起動信号によって起動されない。
【００６８】
次に、状態更新部１２１は、制御部１２０がスリープ状態から起動状態に遷移した場合、記憶部１３２に記憶された第１情報を起動状態に更新する。次に、情報取得部１３３は、第１、第２情報を送信する。次に、判断部２０２は、第１情報が起動状態、且つ第２情報が電力供給有を示す場合、ケース（ａ）に該当するため、制御部１２０は正常と判断する。この場合、制御部２０３は、“正常です。”といった文言が記載された表示画面を表示パネルに表示すればよい。
【００６９】
一方、判断部２０２は、第１情報が停止状態、且つ第２情報が電力供給有を示す場合、ケース（ｃ）に該当するため、制御部１２０は故障していると判断する。この場合、制御部２０３は、例えば“マイコンが故障しています。”といった文言が記載された表示画面を表示パネルに表示すればよい。
【００７０】
つまり、本実施の形態において、制御部２０３は判断部２０２の１回目の判断において、ケース（ｃ）の判断結果が出された場合、即座に判断結果を表示パネルに表示せず、判断部２０２の２回目の判断結果を表示パネルに表示させる。こうすることで、ユーザに対し、制御部１２０がスリープ状態であるにも拘わらず故障していると報知することが防止される。
【００７１】
このように、実施の形態２の故障判断システムによれば、判断部２０２によりケース（ｃ）の判断結果が出された場合、制御部１２０の起動を試み、制御部１２０が起動した場合は、制御部１２０はスリープ状態にあり正常と判断され、制御部１２０が起動しなかった場合は、制御部１２０は故障と判断される。そのため、制御部１２０がスリープ状態にあるにも拘わらず、故障していると判断されることを防止することができる。
【００７２】
（実施の形態３）
実施の形態３の故障判断システムは、情報取得部１３３が電源供給有を示す第２情報を取得した場合、制御部１２０の起動を試み、制御部１２０がスリープ状態であるにも拘わらず、故障していると判断されることを防止することを特徴とする。図５は、本発明の実施の形態３による故障判断システムのブロック図である。なお、本実施の形態において実施の形態１、２と同一のものは説明を省略する。
【００７３】
実施の形態２で説明したように、制御部１２０がスリープ状態にある場合、第１情報が停止状態とされるため、第２情報が電源供給有を示す場合、ケース（ｃ）に該当し、制御部１２０が故障していると判断される。
【００７４】
これを防止するために、本実施の形態では、起動信号生成部１３５は、情報取得部１３３により電力供給有を示す第２情報が取得された場合、起動信号を制御部１２０に通知し、制御部１２０を起動させる。これにより、制御部１２０はスリープ状態にあれば、起動状態に遷移し、第１情報が停止状態から起動状態に更新されて制御機器２００に送信される。一方、制御部１２０は故障していれば、第１情報が更新されず、停止状態を示す第１情報が制御機器２００に送信される。
【００７５】
その結果、判断部２０２がスリープ状態にあるにも拘わらず、制御部１２０を故障していると判断されることを防止することができる。
【００７６】
実施の形態３の故障判断システムは、制御機器２００から指示信号送信部２０５が省かれている。
【００７７】
起動信号生成部１３５は、情報取得部１３３により電源供給有を示す第２情報が取得された場合、制御部１２０を起動させるための起動信号を生成し、制御部１２０に通知する。ここで、起動信号生成部１３５は、ポーリング信号によって誘起された第２電源部１３１から電力が供給されて駆動し、起動信号を制御部１２０に通知する。
【００７８】
制御部１２０は、起動信号が通知されると、スリープ状態であれば起動状態に遷移する。これにより、状態更新部１２１は、記憶部１３２に記憶された第１情報を起動状態に更新する。一方、制御部１２０は、故障している場合、起動信号が通知されても起動することができないため、第１情報は停止状態を維持する。
【００７９】
情報取得部１３３は、起動信号生成部１３５が起動信号を通知してから一定期間経過したときに、記憶部１３２から第１情報を取得し、且つ、第１電源部１１０の出力電圧から第２情報を取得し、アンテナ部１３４を介して制御機器２００に送信する。
【００８０】
次に、実施の形態３による故障判断システムの動作について説明する。端末機器１００が起動部２０１から送信されたポーリング信号を受信する。次に、情報取得部１３３は、記憶部１３２から第１情報を取得し、且つ第１電源部１１０の出力電圧から第２情報を取得する。
【００８１】
ここでは、第２情報が電源供給有を示すものとする。この場合、情報取得部１３３は、起動信号生成部１３５に起動信号を生成するよう指示する。次に、起動信号生成部１３５は、起動信号を生成し、制御部１２０に通知する。
【００８２】
次に、制御部１２０は、故障していない場合は起動信号によって起動され、故障している場合は起動信号によって起動されない。
【００８３】
次に、状態更新部１２１は、制御部１２０がスリープ状態から起動状態に遷移した場合、記憶部１３２に記憶された第１情報を起動状態に更新する。次に、情報取得部１３３は、記憶部１３２から第１情報を取得し、且つ第１電源部１１０の出力電圧から第２情報を取得し、制御機器２００に送信する。
【００８４】
次に、判断部２０２は、第１、第２情報を受信し、実施の形態１と同様、第１、第２情報と故障判断テーブル３００とを用いて端末機器１００の故障を判断する。次に、制御部２０３は、判断部２０２による判断結果を表示パネルに表示する。
【００８５】
このように、実施の形態３の故障判断システムによれば、情報取得部１３３により電力供給有を示す第１情報が取得された場合、制御部１２０の起動が試みられ、制御部１２０が起動した場合は、制御部１２０は正常と判断され、起動しなかった場合は、故障と判断される。そのため、制御部１２０がスリープ状態にあるにも拘わらず、故障していると判断されることを防止することができる。
【００８６】
（実施の形態４）
図６は、本発明の実施の形態４による故障判断システムのブロック図である。実施の形態４の故障判断システムは、第１電源部１１０の電力供給が停止された場合、状態更新部１２１に第１情報を更新させるための電力を制御部１２０及び記憶部１３２に供給する補助電源部１４０を端末機器１００に設けたことを特徴とする。なお、本実施の形態において、実施の形態１〜３と同一のものは説明を省略する。
【００８７】
端末機器１００のコンセントが突発的に抜かれる、あるいは電源スイッチの接触異常により、第１電源部１１０からの電力供給が突然停止される場合がある。この場合、状態更新部１２１は第１情報を起動状態から停止状態に更新することができないおそれがある。そして、この場合、起動状態を示す第１情報と電力供給無を示す第２情報とが制御機器２００に送信されるため、故障判断テーブル３００のケース（ｄ）に該当し、判断部２０２は、制御部１２０が故障していないにも拘わらず、故障していると判断する可能性がある。
【００８８】
そこで、本実施の形態では補助電源部１４０を設け、第１電源部１１０の電力供給が停止された場合、補助電源部１４０から必要な電力を供給させ、状態更新部１２１が確実に第１情報を更新できるようにした。具体的には、端末機器１００は、補助電源部１４０及び状態検知部１５０を備えている。その他の構成は、図２と同じである。
【００８９】
状態検知部１５０は、第１電源部１１０の電力供給が停止されたか否かを検知する。ここで、状態検知部１５０は、第１電源部１１０の出力電圧が規定値以下又は０Ｖとなった場合、第１電源部の電力供給が停止されと判断し、補助電源部１４０からの電力を状態更新部１２１及び記憶部１３２に供給し、状態更新部１２１に第１情報を更新させる。なお、状態検知部１５０は、第１電源部１１０からの電力供給が停止されても補助電源部１４０からの電力を用いて駆動することができる。
【００９０】
補助電源部１４０は、例えば、キャパシタ、乾電池、蓄電池等の蓄電手段により構成される。ここで、補助電源部１４０としては、例えば、第１電源部１１０から電力が供給されていなくても、状態更新部１２１が記憶部１３２に格納された第１情報を少なくとも１回更新することができる電力を蓄積する容量を持てばよい。
【００９１】
次に、実施の形態４による故障判断システムの動作について説明する。まず、例えば、ユーザによりコンセントが抜かれ、第１電源部１１０の電力供給が突然停止されたとする。すると、状態検知部１５０はそのことを検知して、補助電源部１４０の電力を状態更新部１２１及び記憶部１３２に供給する。次に、状態更新部１２１は、記憶部１３２に格納された第１情報を起動状態から停止状態に更新する。
【００９２】
これにより、制御機器２００から送信されたポーリング信号を端末機器１００が受信したとき、情報取得部１３３が取得する第１情報は停止状態を示すことになる。そのため、判断部２０２は、第１情報が停止状態を示し、第２情報が電源供給無を示すため、制御部１２０は正常に停止している、つまり、ケース（ｂ）に該当すると判断することができる。
【００９３】
その結果、第１電源部１１０の電力供給が突然停止されて、第１情報が起動状態から停止状態に更新されずに、端末機器１００が稼働を停止することを防止することができる。これにより、制御部１２０が故障していないにも拘わらず、判断部２０２がケース（ｄ）に該当して制御部１２０が故障していると判断することを防止することができる。
【００９４】
（実施の形態５）
図７は、本発明の実施の形態５による故障判断システムのブロック図である。実施の形態５において、実施の形態１〜４と同じものは説明を省略する。実施の形態５の故障判断システムは、実施の形態１において制御機器２００側で行われていた故障の判断処理を端末機器１００で行わせることを特徴とする。そのため、実施の形態５では、図７に示すように、制御機器２００に設けられていた判断部２０２が省かれ、端末機器１００の通信部１３０内に判断部１３６が設けられている。
【００９５】
判断部１３６は、制御機器２００から送信されたポーリング信号により電力が誘起された第２電源部１３１から電力が供給されて駆動し、記憶部１３２から第１情報を取得し、且つ第１電源部１１０の出力電圧から第２情報を取得し、実施の形態１の判断部２０２と同様、第１、第２情報と故障判断テーブル３００とを用いて端末機器１００の故障を判断する。そして、判断部１３６は、判断結果をアンテナ部１３４を介して制御機器２００に送信する。
【００９６】
制御部２０３は、判断部１３６から送信された判断結果をアンテナ部２０４を介して受信し、判断結果を表示パネルに表示し、ユーザに判断結果を報知する。なお、判断結果の報知の仕方は実施の形態１と同様であるため、説明を省く。
【００９７】
このように、実施の形態５による故障判断システムにおいては、判断部１３６が端末機器１００に設けられているため、端末機器１００自らが故障を判断し、判断結果を制御機器２００に通知することができる。また、判断部１３６は実施の形態１と同様、第１、第２情報と故障判断テーブル３００とを用いて端末機器１００の故障を判断しているため、実施の形態１と同様の効果を得ることができる。
【００９８】
（実施の形態６）
図８は、本発明の実施の形態６による故障判断システムのブロック図である。実施の形態６において、実施の形態１〜５と同じものは説明を省略する。実施の形態６の故障判断システムは、実施の形態３において制御機器２００側で行われていた故障の判断処理を端末機器１００で行わせることを特徴とする。そのため、実施の形態６では、図８に示すように、制御機器２００に設けられていた判断部２０２が省かれ、端末機器１００の通信部１３０内に判断部１３６が設けられている。
【００９９】
本実施の形態において、起動信号生成部１３５は、実施の形態３と同様、情報取得部１３３により電源供給有を示す第２情報が取得された場合、制御部１２０を起動させるための起動信号を生成し、制御部１２０に通知する。
【０１００】
情報取得部１３３は、実施の形態３と同様、起動信号生成部１３５が起動信号を通知してから一定期間経過したときに、記憶部１３２から第１情報を取得し、且つ、第１電源部１１０の出力電圧から第２情報を取得し、判断部１３６に通知する。
【０１０１】
判断部１３６は、実施の形態３と同様、情報取得部１３３から通知された第１、第２情報と故障判断テーブル３００とを用いて端末機器１００の故障の有無を判断する。
【０１０２】
このように、実施の形態６の故障判断システムによれば、判断部１３６を端末機器１００に設けた場合であっても、実施の形態３と同様、制御部１２０がスリープ状態にあるにも拘わらず、故障していると判断されることを防止することができる。
【０１０３】
（実施の形態７）
図９は、本発明の実施の形態７による故障判断システムのブロック図である。実施の形態７において、実施の形態１〜６と同じものは説明を省略する。実施の形態７の故障判断システムは、実施の形態２において制御機器２００側で行われていた故障の判断を端末機器１００で行わせることを特徴とする。そのため、実施の形態７では、図９に示すように制御機器２００に設けられていた判断部２０２及び指示信号送信部２０５が省かれ、端末機器１００の通信部１３０内に判断部１３６が設けられている。
【０１０４】
本実施の形態において、起動信号生成部１３５は、判断部１３６が第１、第２情報に基づき、故障を判断した結果、ケース（ｃ）の判断結果が得られた場合、制御部１２０を起動状態にするための起動信号を制御部１２０に通知する。
【０１０５】
情報取得部１３３は、実施の形態２と同様、起動信号生成部１３５が起動信号を通知してから一定期間経過したときに、記憶部１３２から第１情報を取得し、且つ第１電源部１１０の出力電圧から第２情報を取得し、判断部１３６に通知する。
【０１０６】
判断部１３６は、情報取得部１３３から通知された第１、第２情報と故障判断テーブル３００とを用いて端末機器１００の故障を判断し、判断結果をアンテナ部１３４を介して制御機器２００に通知する。
【０１０７】
このように、実施の形態７の故障判断システムによれば、判断部１３６を端末機器１００に設けた場合であっても、実施の形態２と同様、制御部１２０がスリープ状態にあるにも拘わらず、故障していると判断されることを防止することができる。
【０１０８】
（実施の形態８）
図１０は、本発明の実施の形態８による故障判断システムのブロック図である。実施の形態８において、実施の形態１〜７と同じものは説明を省略する。実施の形態８の故障判断システムは、実施の形態４において制御機器２００側で行われていた故障の判断処理を端末機器１００で行わせることを特徴とする。そのため、実施の形態８では、図１０に示すように制御機器２００に設けられていた判断部２０２が省かれ、端末機器１００の通信部１３０内に判断部１３６が設けられている。
【０１０９】
実施の形態８の故障判断システムの特徴点は、実施の形態４と同様、端末機器１００に補助電源部１４０及び状態検知部１５０を設けた点にある。したがって、ユーザによりコンセントが抜かれる等して、第１電源部１１０の電力供給が突然停止された場合、状態更新部１２１は、記憶部１３２に格納された第１情報を停止状態に更新する。
【０１１０】
これにより、制御機器２００から送信されたポーリング信号を端末機器１００が受信したとき、情報取得部１３３が取得する第１情報は停止状態を示すことになる。そのため、判断部１３６は、第１情報が停止状態を示し、第２情報が電源供給無を示すため、制御部１２０は正常に停止している、つまり、ケース（ｂ）に該当すると判断することができる。その結果、第１電源部１１０の電力供給が突然停止されて、第１情報が起動状態から停止状態に更新されずに、ケース（ｄ）に該当すると判断されることが防止され、制御部１２０が故障していないにも拘わらず、故障していると判断されることを防止することができる。
【０１１１】
（実施の形態９）
図１１は、本発明の実施の形態９における故障判断システムのブロック図である。実施の形態９における故障判断システムは、実施の形態１において、制御機器２００を携帯機器２１０とサーバ２２０とにより構成し、判断部２２１をサーバ２２０に設けた点を特徴としている。なお、本実施の形態において実施の形態１〜８と同じものは説明を省略する。
【０１１２】
携帯機器２１０は、例えば、スマートフォン、タブレット端末、携帯電話等の携帯機器であって、近距離無線通信の通信機能及び公衆通信網の通信機能を備える携帯機器により構成されている。なお、公衆通信網としては、例えばインターネット及び携帯電話通信網を採用すればよい。
【０１１３】
携帯機器２１０は、起動部２１１、携帯側情報取得部２１２、制御部２１３、及びアンテナ部２１４を備えている。起動部２１１及び制御部２１３は、図２に示す起動部２０１及び制御部２０３と同じ機能を持つため説明を省略する。
【０１１４】
携帯側情報取得部２１２は、情報取得部１３３から送信される第１、第２情報をアンテナ部２１４を介して受信し、受信した第１、第２情報を公衆通信網を介してサーバ２２０に送信する。
【０１１５】
サーバ２２０は判断部２２１を備えている。判断部２２１は、実施の形態１と同様、第１、第２情報と故障判断テーブル３００とを用いて端末機器１００の故障を判断する。そして、判断部２２１は、判断結果を公衆通信網を介して携帯機器２１０に送信する。制御部２１３は、実施の形態１と同様にして受信した判断結果を表示パネルに表示する。
【０１１６】
次に、実施の形態９の故障判断システムの動作について説明する。携帯機器２１０が端末機器１００にかざされ、情報取得部１３３が第１、第２情報を取得するまでの処理は実施の形態１と同じである。
【０１１７】
次に情報取得部１３３は、アンテナ部１３４を介して第１、第２情報を携帯機器２１０に送信する。第１、第２情報を受信した携帯側情報取得部２１２は第１、第２情報を公衆通信網を介してサーバ２２０に送信する。次に、判断部２２１は、携帯側情報取得部２１２から送信された第１、第２情報と故障判断テーブル３００とを用いて端末機器１００の故障を判断し、判断結果を公衆通信網を介して携帯機器２１０に送信する。次に、制御部２１３は、判断結果を表示パネルに表示し、ユーザに報知する。
【０１１８】
このように、実施の形態９の故障判断システムによれば、故障の判断処理がサーバ２２０側で行われるため、携帯機器２１０の処理負担を軽減すると同時に、実施の形態１と同様、端末機器１００の故障を正確に判断することができる。なお、制御機器２００を携帯機器２１０及びサーバ２２０に分け、故障の判断処理をサーバ２２０に委ねる構成は、実施の形態１〜４に適用してもよい。
【０１１９】
（実施の形態１０）
図１３は、本発明の実施の形態１０による故障判断システムのブロック図である。実施の形態１０の故障判断システムは、第１電源部１１０の状態に加えて、更にスイッチ１６０の状態を監視し、両者の状態から端末機器１００の故障をより詳細に判断することを特徴とする。
【０１２０】
本実施の形態において端末機器１００は、実施の形態１の端末機器１００に対し、更にスイッチ１６０が設けられ、且つ通信部１３０にスイッチ情報取得部１３７が更に設けられている。
【０１２１】
スイッチ１６０は、例えば、ユーザによりオン又はオフされ、オンされると第１電源部１１０及び制御部１２０間を導通し、オフされると第１電源部１１０及び制御部１２０間を遮断する。
【０１２２】
スイッチ情報取得部１３７は、第２電源部１３１からの電力により駆動し、スイッチ１６０のオン又はオフを示す第３情報を取得する。また、スイッチ情報取得部１３７は、第３情報を取得すると、アンテナ部１３４を介して制御機器２００に送信する。
【０１２３】
図１４は、スイッチ情報取得部１３７が第３情報を取得するために備える第３情報取得回路の回路図の一例である。
【０１２４】
図１４に示すように、第３情報取得回路は、３つの抵抗Ｒ２１〜Ｒ２３及びトランジスタＱ２を備えている。トランジスタＱ２は例えばｎチャネルのＭＯＳＦＥＴにより構成されている。トランジスタＱ２のゲートは抵抗Ｒ２２を介してスイッチ１６０に接続され、且つ抵抗Ｒ２３を介してグランドに接続されている。トランジスタＱ２のドレインは抵抗Ｒ２１を介して第２電源部１３１に接続されている。トランジスタＱ２のソースはグランドに接続されている。
【０１２５】
スイッチ１６０がオンしている場合、トランジスタＱ１のゲートにはハイレベルの電圧が印加され、トランジスタＱ２がオンする。これにより、第２電源部１３１から電力が供給されると、トランジスタＱ２のソースドレイン間に電流が流れ、抵抗Ｒ２１の電圧降下により出力線からはローレベルの電圧が出力される。この場合、スイッチ情報取得部１３７は、スイッチ１６０がオンされていると判断し、オンを示す第３情報を生成する。
【０１２６】
一方、スイッチ１６０がオフしている場合、トランジスタＱ２のゲートにはローレベルの電圧が印加され、トランジスタＱ２がオフする。これにより、第２電源部１３１から電力が供給されると、トランジスタＱ２のソースドレイン間には電流が流れず、出力線からはローレベルの電圧が出力される。この場合、スイッチ情報取得部１３７は、スイッチ１６０はオフであると判断し、オフを示す第３情報を生成する。
【０１２７】
このように、スイッチ情報取得部１３７は、スイッチ１６０から出力される電圧が規定値以上であればスイッチ１６０がオンと判断し、そのことを示す第３情報を生成する一方、電圧が規定値未満であればスイッチ１６０がオフと判断し、そのことを示す第３情報を生成する。
【０１２８】
図１３に戻り、判断部２０２は、端末機器１００から送信された第１〜第３情報をアンテナ部２０４を介して受信し、第１〜第３情報と図１５に示す故障判断テーブル３０１とを用いて端末機器１００の故障の有無を判断する。
【０１２９】
図１５は、本発明の実施の形態１０における故障判断テーブル３０１の一例を示した図である。故障判断テーブル３０１では、第２情報が電力供給有を示す場合、すなわち、第１電源部１１０が電力供給している場合、更に第３情報がオン又はオフを示すか、すなわち、スイッチ１６０がオン又はオフしているかに応じて異なる判断結果が格納されている。
【０１３０】
具体的には、第１情報が起動状態、第２情報が電力供給有、且つ第３情報がオンの場合（ケース（ａ））、スイッチ１６０のオンによって、第１電源部１１０から電力が供給されて制御部１２０は起動状態になる。そのため、ケース（ａ）のセルには制御部１２０が正常に起動していることを示す正常（起動）が格納されている。
【０１３１】
また、第１情報が停止状態、第２情報が電力供給有、且つ第３情報がオフの場合（ケース（ｙ））、スイッチ１６０のオフによって、第１電源部１１０からの電力供給が遮断されて制御部１２０は停止状態になる。そのため、ケース（ｙ）のセルには制御部１２０が正常に停止していることを示す正常（停止）が格納されている。また、ケース（ｙ）においては、第３情報がオフであり、スイッチ１６０がオフである。そのため、ケース（ｙ）のセルには、スイッチ１６０のオフを示すスイッチオフも格納されている。
【０１３２】
また、第１情報が停止状態、第２情報が電力供給有、且つ第３情報がオンの場合（ケース（ｃ））、スイッチ１６０のオンによって、第１電源部１１０からの電力が供給されているにも拘わらず、制御部１２０は停止状態になっている。そのため、ケース（ｃ）のセルには制御部１２０が故障していることを示す故障が格納されている。
【０１３３】
また、第１情報が起動状態、第２情報が電力供給有、且つ第３情報がオフの場合（ケース（ｘ））、スイッチ１６０のオフによって、第１電源部１１０からの電力供給が遮断されて停止状態になるべきなのに、制御部１２０は起動状態になっている。そのため、ケース（ｘ）のセルには制御部１２０が故障していることを示す故障が格納されている。
【０１３４】
また、第１情報が起動状態、且つ第２情報が電力供給無の場合（ケース（ｄ））、制御部１２０は、第１電源部１１０から電力が供給されていないにも拘わらず起動状態になっている。そのため、ケース（ｄ）のセルには、制御部１２０が故障していることを示す故障が格納されている。
【０１３５】
また、第１情報が停止状態、且つ第２情報が電力供給無の場合（ケース（ｂ））、第１電源部１１０から電力が供給されていないため、制御部１２０は停止状態になる。そのため、ケース（ｂ）のセルには、制御部１２０が正常に停止していることを示す正常（停止）が格納されている。また、ケース（ｂ）の場合、第２情報が電力供給無であり、第１電源部１１０から電力供給が遮断されている。そのため、ケース（ｂ）のセルには、コンセントが抜かれていることを示すコンセントオフも格納されている。
【０１３６】
このように、実施の形態１０の故障判断システムによれば、第１、第２情報に加えて、更にスイッチ１６０のオン・オフを示す第３情報も考慮して端末機器１００の故障が判断されている。そのため、第２情報が電力供給有の場合に第１情報及び第３情報を用いて端末機器１００の故障をより細かく判断することができる。
【０１３７】
なお、実施の形態１０の第１、第２情報に加えて更に第３情報を用いて故障を判断する手法は、実施の形態１〜９のいずれの故障判断システムに適用してもよい。
【０１３８】
（実施の形態の纏め）
（１）本実施の形態による端末機器は、外部の制御機器と近距離無線通信を行い、前記制御機器により故障が判断される端末機器であって、電力を供給する第１電源部と、前記制御機器との間で近距離無線の電波を送受信するアンテナ部と、前記アンテナ部で受信される電波により電力を誘起し、前記誘起した電力を供給する第２電源部と、前記第２電源部から電力が供給されて駆動する記憶部と、前記第１電源部から電力が供給されて駆動する制御部であって、当該制御部が起動状態又は停止状態であるかを示す第１情報を前記記憶部に格納する制御部と、前記第２電源部から電力が供給されて駆動し、前記第１電源部の電力供給の有無を示す第２情報を取得し、且つ前記記憶部から前記第１情報を取得し、取得した前記第１、第２情報を前記アンテナ部を介して前記制御機器へ送信する情報取得部とを備える。
【０１３９】
この構成によれば、端末機器は、第１情報を記憶する記憶部と、制御機器から近距離無線通信の電波を受けて電力を誘起する第２電源部と、第２電源部から電力が供給されて駆動し、第１情報及び第２情報を取得して、制御機器２００に送信する情報取得部とを備えている。
【０１４０】
そのため、端末機器は第１電源部からの電力供給の有無に拘わらず、制御機器がかざされると、近距離無線通信により第１、第２情報を制御機器２００に送信することができる。
【０１４１】
その結果、制御機器は、端末機器のオン又はオフに拘わらず、端末機器から第１、第２情報を取得することができる。そして、第１情報は制御部が起動状態又は停止状態にあるかを示し、第２情報は第１電源部の電力供給の有無を示している。そのため、制御機器は、これらの情報の組み合わせから、制御部が故障している場合であっても、端末機器のコンセント抜けを検出することができ、端末機器の故障の原因を正確に検出することができる。
【０１４２】
（２）また、端末機器は、前記制御部を起動させる起動信号を生成し、前記制御部に通知する起動信号生成部を更に備え、前記起動信号生成部は、前記制御機器から前記制御部が故障している可能性がある場合に送信される指示信号に基づき、前記起動信号を生成し、前記情報取得部は、前記起動信号生成部による前記起動信号の通知がなされた後、再度、前記第１、第２情報を取得し、前記制御機器へ送信することが好ましい。
【０１４３】
例えば、制御部がスリープ状態にあるために、情報取得部が停止状態を示す第１情報を取得したとする。また、このとき、情報取得部が電力供給有を示す第２情報を取得したとする。すると、制御機器は、第１情報が停止状態を示し、第２情報が電力供給有を示し、第１電源部から制御部に電力供給が行われているにも拘わらず、制御部が停止状態であるため、制御部が故障したと判断するおそれがある。
【０１４４】
そこで、本構成では、制御機器からの指示信号を受けると、制御部を起動させるための起動信号を通知する起動信号生成部を端末機器に設けた。これにより、例えば、停止状態を示す第１情報と電力供給有を示す第２情報とが端末機器から送信され、制御部が故障している可能性が高い場合、制御機器は端末機器に指示信号を送信して、制御部の起動を試みることができる。
【０１４５】
制御部が本当に故障しているのであれば起動信号を受けても起動状態にならないため、第１情報は停止状態を維持する。一方、制御部がスリープ状態になっていたのであれば起動信号を受けると起動状態になるため、第１情報は起動状態に更新される。そして、情報取得部はこれにより得られた第１、第２情報を再度、制御機器に送信する。
【０１４６】
これにより、制御機器は、再度受信した第１情報が停止状態を示し、且つ第２情報が電力供給有を示すのであれば、制御部は本当に故障していると判断し、第１情報が起動状態を示し、且つ第２情報が電力供給有を示すのであれば、制御部は故障しているのではなく単にスリープ状態になっていただけだと判断することができる。その結果、制御部がスリープ状態にあるにも拘わらず、故障していると判断されることを防止することができる。
【０１４７】
（３）また、端末機器は、前記制御部を起動させる起動信号を生成し、前記制御部に通知する起動信号生成部を更に備え、前記起動信号生成部は、前記第２情報が電力供給有を示す場合、前記起動信号を生成し、前記情報取得部は、前記起動信号生成部による前記起動信号の通知がなされた後、前記第１、第２情報を取得し、前記制御機器へ送信することが好ましい。
【０１４８】
例えば、制御部がスリープ状態にあるために、情報取得部が停止状態を示す第１情報を取得したとする。また、このとき、情報取得部が電力供給有を示す第２情報を取得したとする。そして、これらの第１、第２情報がそのまま制御機器に送信されると、制御機器は、第１電源部から電力が供給されているにも拘わらず、制御部が停止状態にあるため、制御部が故障していると判断するおそれがある。
【０１４９】
そこで、本構成では、このような誤判断を未然に防止するために、制御部を起動させるための起動信号を通知する起動信号生成部を端末機器に設けた。これにより、端末機器は、例えば電力供給有を示す第２情報を取得した場合、制御部の起動を試みることができる。
【０１５０】
制御部が本当に故障しているのであれば起動信号を受けても起動状態にならないため、第１情報は停止状態を維持する。一方、制御部がスリープ状態になっていたのであれば起動信号を受けると起動状態になるため、第１情報は起動状態に更新される。そして、情報取得部はこれにより得られた第１、第２情報を制御機器に送信する。
【０１５１】
これにより、制御機器は、受信した第１情報が停止状態を示し、且つ第２情報が電力供給有を示すのであれば、制御部は故障していると判断し、第１情報が起動状態を示し、且つ第２情報が電力供給有を示すのであれば、制御部は正常であると判断することができる。その結果、制御部がスリープ状態にあるにも拘わらず、故障していると判断されることを防止することができる。
【０１５２】
（４）また、端末機器は、前記第１電源部による電力供給が停止された場合、前記制御部に電力を供給し、前記制御部に前記記憶部に格納された前記第１情報を更新させる補助電源部を更に備えることが好ましい。
【０１５３】
端末機器のコンセントが突発的に抜かれる、あるいは電源スイッチの接触異常により、第１電源部からの電力供給が突然停止される場合がある。この場合、状態更新部は第１情報を起動状態から停止状態に更新することができないおそれがある。この状況下で、端末機器の故障の判断処理が実行されると、起動状態を示す第１情報と電力供給無を示す第２情報とが制御機器に送信されるため、制御機器は、制御部が故障していないにも拘わらず、故障していると判断する可能性がある。
【０１５４】
そこで、本構成では補助電源部を設け、第１電源部の電力供給が停止された場合、補助電源部から必要な電力を供給させ、状態更新部が確実に第１情報を更新できるようにした。その結果、第１電源部の電力供給が突然停止されて、第１情報が起動状態から停止状態に更新されないまま、端末機器が稼働を停止することを防止することができる。これにより、制御部が故障していないにも拘わらず、故障していると判断されることを防止することができる。
【０１５５】
（５）また、端末機器は、前記第１電源部及び前記制御部間を導通又は遮断させるスイッチと、前記第２電源部から電力が供給されて駆動し、前記スイッチのオン又はオフを示す第３情報を取得し、前記アンテナ部を介して前記制御機器へ送信するスイッチ情報取得部とを更に備えることが好ましい。
【０１５６】
この構成によれば、第１電源部及び制御部間を導通又は遮断させるスイッチの状態を監視し、スイッチがオン又はオフしているかを示す第３情報を制御機器に送信するスイッチ情報取得部を端末機器に設けた。そのため、制御機器は、第１、第２情報に加えて更に第３情報を用いて端末機器の故障をより細かく判断することができる。
【０１５７】
（６）本実施の形態による制御機器は、電力を供給する第１電源部と、前記第１電源部から電力が供給されて駆動する制御部と備える外部の端末機器との間で近距離無線通信を行い、前記端末機器の故障を判断する制御機器であって、前記端末機器との間で近距離無線の電波を送受信するアンテナ部と、前記端末機器が備える前記制御部が起動状態又は停止状態にあるかを示す第１情報と、前記端末機器が備える前記第１電源部の電力供給の有無を示す第２情報とを、前記アンテナ部を介して前記端末機器から受信し、受信した前記第１、第２情報に基づいて前記端末機器の故障を判断する判断部とを備える。
【０１５８】
この構成によれば、（１）で示した端末機器と近距離無線通信を行って、端末機器から、第１、第２情報を取得し、取得した第１、第２情報を用いて端末機器の故障を判断する制御機器を提供することができる。
【０１５９】
（７）また、制御機器において、前記判断部は、前記第２情報が電力供給無、且つ前記第１情報が起動状態を示す場合、又は前記第２情報が電力供給有、且つ前記第１情報が停止状態を示す場合、前記制御部を故障と判断し、前記第２情報が電力供給有、且つ前記第１情報が起動状態を示す場合、又は前記第２情報が電力供給無、且つ前記第１情報が停止状態を示す場合、前記制御部を正常と判断することが好ましい。
【０１６０】
この構成によれば、第２情報が電力供給無、且つ第１情報が起動状態を示す場合、制御部は電力供給されていないにも拘わらず起動状態にあるため、故障していると判断される。また、第２情報が電力供給有、且つ第１情報が停止状態を示す場合、制御部は電力供給がされているにも拘わらず停止状態にあるため、故障していると判断される。
【０１６１】
また、第２情報が電力供給有、且つ第１情報が起動状態を示す場合、制御部は第１電源部からの電力供給に応じて起動状態になっているため、正常と判断される。また、第２情報が電力供給無、且つ第１情報が停止状態を示す場合、制御部は第１電源部からの電力供給の遮断に応じて停止状態になっているため、正常と判断される。
【０１６２】
（８）また、制御機器は、前記制御部が故障している可能性がある場合に前記制御部を起動させるための指示信号を前記アンテナ部を介して前記端末機器に送信する指示信号送信部を更に備えることが好ましい。
【０１６３】
この構成によれば、制御機器は、（２）で示した端末機器に対して指示信号を送信して、制御部の起動を試みることができる。その結果、制御部がスリープ状態にあるにも拘わらず、故障していると判断されることを防止することができる。
【０１６４】
（９）また、制御機器において、前記指示信号送信部は、前記第２情報が電力供給有、且つ前記第１情報が停止状態を示す場合、前記指示信号を送信することが好ましい。
【０１６５】
この構成によれば、第２情報が電力供給有、且つ第１情報が停止状態を示す場合、制御部が故障している可能性があるとして、制御機器は（２）で示す端末機器に指示信号を送信し、制御部の起動を試みることができる。その結果、制御部がスリープ状態にあるにも拘わらず、故障していると判断されることを防止することができる。
【０１６６】
（１０）また、制御機器において、前記判断部は、前記端末機器の前記第１電源部及び前記制御部を導通又は遮断させるスイッチがオン又はオフしているかを示す第３情報を前記端末機器から取得し、前記第１、第２情報に加えて、更に前記第３情報に基づいて前記端末機器の故障を判断する。
【０１６７】
この構成によれば、（５）で示した端末機器から送信される第３情報を更に用いて端末機器の故障をより細かく判断することができる。
【０１６８】
（１１）また、本実施の形態の端末機器は、外部の制御機器との間で近距離無線通信を行い、前記制御機器により故障が判断される端末機器であって、電力を供給する第１電源部と、前記制御機器との間で近距離無線の電波を送受信するアンテナ部と、前記アンテナ部で受信される電波により電力を誘起し、前記誘起した電力を供給する第２電源部と、前記第２電源部から電力が供給されて駆動する記憶部と、前記第１電源部から電力が供給されて駆動する制御部であって、当該制御部が起動状態又は停止状態であるかを示す第１情報を前記記憶部に格納する制御部と、前記第２電源部から電力が供給されて駆動し、前記第１電源部の電力供給の有無を示す第２情報を取得し、且つ前記第１情報を取得する情報取得部と、前記第２電源部から電力が供給されて駆動し、前記情報取得部により取得された前記第１、第２情報に基づいて、前記端末機器の故障を判断し、判断結果を前記アンテナ部を介して前記制御機器へ送信する判断部とを備える。
【０１６９】
この構成によれば、第１、第２情報を用いて端末機器の故障を判断する判断部を、端末機器側に設けた構成において、（１）と同様の効果が得られる。
【０１７０】
（１２）また、端末機器は、前記制御部を起動させる起動信号を生成し、前記制御部に通知する起動信号生成部を更に備え、前記起動信号生成部は、前記第２情報が電力供給有を示す場合、前記起動信号を生成し、前記情報取得部は、前記起動信号生成部による前記起動信号の通知がなされた後、前記第１、第２情報を取得し、前記制御機器へ送信することが好ましい。
【０１７１】
この構成によれば、第１、第２情報を用いて端末機器の故障を判断する判断部を、端末機器側に設けた構成において、（３）と同様の効果が得られる。
【０１７２】
（１３）また、端末機器は、前記制御部を起動させる起動信号を生成し、前記制御部に通知する起動信号生成部を更に備え、前記起動信号生成部は、前記第２情報が電力供給有、且つ前記第１情報が停止状態を示す場合、前記起動信号を生成し、前記情報取得部は、前記起動信号生成部による前記起動信号の通知がなされた後、前記第１、第２情報を取得し、前記制御機器へ送信することが好ましい。
【０１７３】
この構成によれば、第１、第２情報を用いて端末機器の故障を判断する判断部を、端末機器側に設けた構成において、（２）と同様の効果が得られる。
【０１７４】
（１４）また、端末機器は、前記判断部は、前記第２情報が電力供給無、且つ前記第１情報が起動状態を示す場合、又は前記第２情報が電力供給有、且つ前記第１情報が停止状態を示す場合、前記制御部を故障の可能性があると判断し、前記第２情報が電力供給有、且つ前記第１情報が起動状態を示す場合、又は前記第２情報が電力供給無、且つ前記第１情報が停止状態を示す場合、前記制御部を正常と判断することが好ましい。
【０１７５】
この構成によれば、第１、第２情報を用いて端末機器の故障を判断する判断部を、端末機器側に設けた構成において、（７）と同様の効果が得られる。
【０１７６】
（１５）また、端末機器は、前記第１電源部による電力供給が停止された場合、前記制御部に電力を供給し、前記制御部に前記記憶部に格納された前記第１情報を更新させる補助電源部を更に備えることが好ましい。
【０１７７】
この構成によれば、第１、第２情報を用いて端末機器の故障を判断する判断部を、端末機器側に設けた構成において、（５）と同様の効果が得られる。
【０１７８】
（１６）本実施の形態の故障判断システムは、制御機器と端末機器とが近距離無線通信を行い、前記制御機器が前記端末機器の故障を判断する故障判断システムであって、前記端末機器は、電力を供給する第１電源部と、前記制御機器との間で近距離無線の電波を送受信するアンテナ部と、前記アンテナ部で受信される電波により電力を誘起し、前記誘起した電力を供給する第２電源部と、前記第２電源部から電力が供給されて駆動する記憶部と、前記第１電源部から電力が供給されて駆動する制御部であって、当該制御部が起動状態又は停止状態であるかを示す第１情報を前記記憶部に格納する制御部と、前記第２電源部から電力が供給されて駆動し、前記第１電源部の電力供給の有無を示す第２情報を取得し、且つ前記記憶部から前記第１情報を取得し、取得した前記第１、第２情報を前記アンテナ部を介して前記制御機器へ送信する情報取得とを備え、前記制御機器は、前記端末機器との間で近距離無線の電波を送受信するアンテナ部と、前記第１情、第２情報を、前記アンテナ部を介して前記端末機器から受信し、受信した前記第１、第２情報に基づいて前記端末機器の故障を判断する判断部とを備える。
【０１７９】
（１）の端末機器と（６）の制御機器とを組み合わせた、故障判断システムを提供することができる。
【産業上の利用可能性】
【０１８０】
本発明は、制御機器が近距離無線通信により端末機器と通信して端末機器の故障が判断されるため、今後、更に普及することが予想される携帯端末やタブレット端末を用いた家電機器の故障判断システムに有用である。
【図１】
0005988452.tif 000003
【図２】
0005988452.tif 000004
【図３】
0005988452.tif 000005
【図４】
0005988452.tif 000006
【図５】
0005988452.tif 000007
【図６】
0005988452.tif 000008
【図７】
0005988452.tif 000009
【図８】
0005988452.tif 000010
【図９】
0005988452.tif 000011
【図１０】
0005988452.tif 000012
【図１１】
0005988452.tif 000013
【図１２】
0005988452.tif 000014
【図１３】
0005988452.tif 000015
【図１４】
0005988452.tif 000016
【図１５】
0005988452.tif 000017